【事件の表示】
　特許第２７０７０６１号「カ−ドドライブ装置に於けるカ−ドイジェクト機構」の請求項１ないし２に係る特許に対する特許異議の申立てについて、次のとおり決定する。
【結論】
　訂正を認める。
　特許第２７０７０６１号の請求項１ないし２に係る特許を維持する。
【理由】
Ｉ．手続きの経緯
　本件特許第２７０７０６１号に係る発明は、平成６年１０月６日に出願され、平成９年１０月１７日にその特許権の設定登録がなされ、その後、横地　朗、豊島康彦より特許異議の申立がなされ、取消理由通知がなされ、その後期間延長されて、指定期間内である平成１１年７月７日に訂正請求がなされた。
ＩＩ．取消理由通知の内容
　当審で通知した取消理由の内容は次のとおりである。
「請求項１、２に係る特許は、特許明細書の記載が下記の点で不備のため、特許法第３６条第３項、第４項及び第５項の規定に違反してなされたものである。
　　　　　　　　　　記
１．請求項１について
　請求項１の記載は、操作ボタンのベースボタンに対する取り付けに関する構成に関して、「操作ボタン４は、軸７を介して回動可能にベースボタン３に連接されており」と記載されているだけで、操作ボタンが、ベースボタンに対し（イジェクトボタン１及びイジェクトレバー２の）ストローク方向に移動可能に軸支されている構成について全く記載されていない。したがって、折り曲げられている操作ボタンを回動させて起立際に操作ボタンの基部がベースボタンの嵌合穴に嵌合することによりイジェクトボタンを押圧した際の折れ曲がりを防止するという発明の目的を達成するための構成が不明である。
２．請求項２について
　ロックアームの構成についての記載は、操作ボタンを折り曲げた状態、及び回動し起立させた状態の各々で固定することを可能にする構成が不明である。」
ＩＩＩ．訂正の適否
１．訂正事項
ａ．特許請求の範囲について、
　請求項１中に記載された「上記イジェクトボタン１は、ベ−スボタン３と操作ボタン４とにより構成され、上記操作ボタン４は、軸７を介して回動可能にベースボタン３に連設されており、」を「上記イジェクトボタン１は、イジェクトレバ−２に連なるベースボタン３と、このベースボタン３に対して軸７により回動可能に軸支されている操作ボタン４により構成され、而も上記操作ボタン４は、この操作ボタン４を上記ベースボタン３に対して上記軸７により回動し起立させた際、この操作ボタン４が、上記イジェクトボタン１及びイジェクトレバ−２のストローク方向に向かって移動できるようにベースボタン３に軸支されており」に、
　請求項２の記載「上記イジェクトボタン１を成すベースボタン３は、ベースボタン３に連接された操作ボタン４を折り曲げた状態、及び、回動し起立させた状態の各々で固定することができるロックアーム８を有していることを特徴とするカードドライブ装置に於けるカードイジェクト機構。」を「上記ベースボタン３には、先端１５が上記操作ボタン４の基部５に形成されたロックアーム嵌合部１６に嵌合できるロックアーム８が形成され、上記ベースボタン３に対して操作ボタン４を折り曲げた状態の時、上記ロックアーム８の先端１５が操作ボタン４のロックアーム嵌合部１６に嵌合し、操作ボタン４を起立させた状態の時、上記ロックアーム８の先端１５が操作ボタン４の側面に当接することを特徴とする請求項１記載のカードドライブ装置に於けるカードイジェクト機構。」にそれぞれ訂正した。
ｂ．発明の詳細な説明における段落番号【０００８】（特許公報第４欄２４行〜３７行）の記載を次のように訂正した。
「【課題を解決する為の手段】上記目的を達成する為に本発明は次の技術的手段を有する。即ち、実施例に対応する添付図面に使用した符号を用いて説明すると、イジェクトボタン１とイジェクトボタン１に連接するイジェクトレバー２と、上記イジェクトレバー２の先端部によって作動させられる作動片より成るカードドライブ装置に於けるカードイジェクト機構に於て、
　上記イジェクトボタン１は、イジェクトレバー２に連なるベ−スボタン３と、このベースボタン３に対して軸７により回動可能に軸支されている操作ボタン４により構成され、而も上記操作ボタン４は、この操作ボタン４を上記ベースボタン３に対して上記軸７により回動し起立させた際、この操作ボタン４が、上記イジェクトボタン１及びイジェクトレバ−２のストローク方向に向かって移動できるようにベースボタン３に軸支されており、さらに、上記ベースボタン３には、上記操作ボタン４を回動し起立させ押圧した際、上記操作ボタン４の基部５が嵌合する嵌合穴６が形成されていることを特徴とするカードドライブ装置に於けるカードイジェクト機構である。」
ｃ．発明の詳細な説明における段落番号【０００９】（特許公報第４欄３９行〜５欄７行）の記載を次のように訂正した。
「【作用】本発明は、上記技術的手段より成り、カードドライブ装置に挿入されたカードＣを取り出す際に操作される上記イジェクトボタン１は、イジェクトレバー２に連なるベースボタン３と、このベースボタン３に対して軸７により回動可能に軸支されている操作ボタン４により構成され、而も上記操作ボタン４は、この操作ボタン４を上記ベースボタン３に対して上記軸７により回動し起立させた際、この操作ボタン４が、上記イジェクトボタン１及びイジェクトレバー２のストローク方向に向かって移動できるようにベースボタン３に軸支されており、さらに、上記ベースボタン３には、上記操作ボタン４を回動し起立させ押圧した際、上記操作ボタン４の基部５が嵌合する嵌合穴６が形成されているものであるので、イジェクトボタン１の押圧時に、起立させられた操作ボタン４の基部５がベースボタン３の嵌合穴６に嵌合し、その起立状態が維持されることとなり、起立したイジェクトボタン１を押圧した際の折れ曲がりを防止する為のガイドの必要がなくなり、イジェクトボタン１及びイジェクトレバー２をガイドするガイド手段の簡略化を実現することができ、よって、カードイジェクト機構を簡略化することができると同時に小型化が容易となり省スペースが可能となるので、カードドライブ装置自身の小型化が可能となり、カード使用機器の小型化を容易に実現することができるものである。」
ｄ．発明の詳細な説明における段落番号【００２３】（特許公報第７欄２２行ないし８欄１行）の記載を次のように訂正した。
「【発明の効果】以上詳述した如く、本発明によると次のような効果を奏する。即ち、請求項１によると、イジェクトボタンとイジェエクトボタンに連接するイジェクトレバーと、上記イジェクトレバーの先端部によって作動させられる作動片より成るカードドライブ装置に於けるカードイジェクト機構に於て、
　上記イジェクトボタンは、イジェクトレバ−に連なるベースボタンと、このベースボタンに対して軸により回動可能に軸支されている操作ボタンにより構成され、而も上記操作ボタンは、この操作ボタンを上記ベースボタンに対して上記軸により回動し起立させた際、この操作ボタンが、上記イジェクトボタン及びイジェクトレバ−のストローク方向に向かって移動できるようにベースボタンに軸支されており、さらに、上記ベースボタンは、上記操作ボタンを回動し起立させ押圧した際、上記操作ボタンの基部が嵌合する嵌合穴が形成されていることを特徴とするカードドライブ装置に於けるカードイジェクト機構であるので、イジェクトボタンの押圧時に、起立させられた操作ボタンの基部がベースボタンの嵌合穴に嵌合し、その起立状態が維持されることとなり、起立したイジェクトボタンの折れ曲がりを防止する為のガイドの必要がなくなり、イジェクトボタン及びイジェクトレバーをガイドするガイド手段の簡略化を実現することができ、よって、カードイジェクト機構を簡略化することができると同時に小型化が容易となり、省スペースが可能となるので、カードドライブ装置自身の小型化が可能となり、カード使用機器の小型化を容易に実現することができるカードドライブ装置に於けるカードイジェクト機構を提供できるものである。」
３．訂正の目的の適否、新規事項の有無及び拡張・変更の存否
　訂正事項ａにおける請求項１についての訂正は、操作ボタンのベースボタンに対する構成に関して具体的に限定し明確にしたものであり、特許明細書の段落番号【００１２】、【００１７】の記載及び添付図面図１〜図９を根拠とし、請求項２についての訂正は、ロックアームに関する構成に関して具体的に限定し明確にしたものであり、段落番号【００２０】、【００２１】の記載及び添付図面図１０，図１１を根拠とするものであり、特許請求の範囲の減縮、明りょうでない記載の釈明に該当するものである。
　訂正事項ｂ，ｃ，ｄについては、上記訂正事項ａ．の特許請求の範囲の訂正に対応して訂正したものであるので明りょうでない記載の釈明に該当するものである。
　また、上記ａ〜ｄの各訂正事項は、いずれも願書に最初に添付した明細書又は図面に記載した事項の範囲内のものであり、実質的に特許請求の範囲を拡張し又は変更するものでもない。
４．独立特許要件について
　上記ＩＩ項のとおり、当審で通知した取消理由通知の中で指摘した特許法第３６条第３項、第４項及び第５項の規定違反についての取消理由は、上記訂正請求によりすべて解消したものと認める。
５．訂正の適否についての結論
　以上のとおりであるから、上記訂正請求は、特許法第１２０条の４第２項の規定及び同条第３項で準用する第１２６条第２項〜第４項の規定に適合するので、当該訂正を認める。
ＩＶ．特許異議申立について
１．本件特許発明
　本件特許発明は、訂正された明細書及び図面の記載からみて、それぞれ特許請求の範囲に記載された次のとおりのものである。
（請求項１）
「イジェクトボタン１とイジェクトボタン１に連接するイジェクトレバー２と、上記イジェクトレバー２の先端部によって作動させられる作動片より成るカードドライブ装置に於けるカードイジェクト機構に於て、
　上記イジェクトボタン１は、イジェクトレバ−２に連なるベースボタン３と、このベースボタン３に対して軸７により回動可能に軸支されている操作ボタン４により構成され、而も上記操作ボタン４は、この操作ボタン４を上記ベースボタン３に対して上記軸７により回動し起立させた際、この操作ボタン４が、上記イジェクトボタン１及びイジェクトレバ−２のストローク方向に向かって移動できるようにベースボタン３に軸支されており、さらに、上記ベースボタン３には、上記操作ボタン４を回動し起立させ押圧した際、上記操作ボタン４の基部５が嵌合する嵌合穴６が形成されていることを特徴とするカードドライブ装置に於けるカードイジェクト機構。」（以下、「本件第１発明」という。）
（請求項２）
「上記ベースボタン３には、先端１５が上記操作ボタン４の基部５に形成されたロックアーム嵌合部１６に嵌合できるロックアーム８が形成され、上記ベースボタン３に対して操作ボタン４を折り曲げた状態の時、上記ロックアーム８の先端１５が操作ボタン４のロックアーム嵌合部１６に嵌合し、操作ボタン４を起立させた状態の時、上記ロックアーム８の先端１５が操作ボタン４の側面に当接することを特徴とするカードドライブ装置に於けるカードイジェクト機構。」（以下、「本件第２発明」という。）
２．異議申立１（横地　朗）
（１）申立人の主張の概要
　申立人は、甲第１号証として実願平３−９８９１９号（実開平５−４８０５９号）のＣＤ−ＲＯＭ、甲第２号証として実願平２−５０７１３号（実開平４−１２０６４号）のマイクロフィルムを、それぞれ提示し、本件請求項１に係る発明は甲第１号証及び甲第２号証に記載された発明から当業者が容易に発明することができたものであるから、特許法第２９条第２項の規定により特許を受けることができないものであり、また、甲第３号証として特開平７−３３５３１７号公報を提示し、本件請求項１に係る発明及び本件請求項２に係るる各発明は、甲第３号証に記載された発明と同一であり、特許法第２９条の２により特許を受けることができないものであるから、本件請求項１に係る特許及び本件請求項２に係る特許は取り消されるべきである旨主張している。
（２）甲各号証に記載された発明
［甲第１号証］
　同号証には、ＩＣカードを挿入するカードホルダと、該カード−度ホルダのスロット内に設けたコネクタ部と、イジェクト機構とからなるＩＣカード用コネクタユニットにおいて、前記イジェクト機構の押し棒に装着されるイジェクトボタンを、前記押し棒に対して折曲自在に枢着したＩＣカード用コネクタユニットが記載されている。
［甲第２号証２］
　同号証には、イジェクトレバーの外端部側にイジェクトレバーのスライド方向と直交方向に回動可能でかつスライド可能に取り付けられて機器本体の開口部から外部に突出し、回動してスライドした際に前記開口部の縁部近傍に当接するイジェクト釦を備えたイジェクトレバーのロック機構の発明が開示されており、第１０頁第１３〜１５行目には「イジェクトレバー１０の外端部凹部状の円弧面に形成され、」、第１３頁第２〜４行目には「イジェクトレバー１０の外端面と対応するイジェクト釦１４の端面は凸状の円弧面に形成されている。」等の記載がある。
［甲第３号証］
　同号証には、イジェクトバー２５に回動可能に連接されたイジェクタ２６を有し、イジェクタ２６とイジェクトバー２５は互いに係止して誤脱防止位置と操作位置のそれぞれの位置を維持するロック手段が設けられているイジェクト機構を備えたＩＣカード用電気コネクタの発明が開示されており、また、図７及び図８と共に、第６欄の段落番号【００２８】には「図７及び図８に見られるように、イジェクトバー２５の後端には二つロック窓２８Ａ，２８Ｂが形成されており、イジェクタ２６には、係止突起２９Ａ，２９Ｂが設けられている。図７の誤脱防止位置にあっては図８に表れている係止突起２９Ａがロック窓２８Ａと係止し、図８の操作位置にあっては図７に表れている係止突起２９Ｂがロック窓２８Ｂと係止する。」という記載がある。
（３）対比・判断
ａ．特許法第２９条第２項について
　本件第１発明は、「ベースボタン３には、上記操作ボタン４を回動し起立させ押圧した際、上記操作ボタン４の基部５が嵌合する嵌合穴６が形成されていること」発明の構成要件としている。
　これに対し、甲第１号証に記載された発明は、それ以外の構成要件は備えているもの上記構成要件に相当する構成は無い。また、甲第２号証に記載された発明には、凸状の円弧面が形成されたイジェクト釦１４の端面が当接するイジェクトレバー１０の外端面に凹状の円弧面が形成された構成が存在するが、この構成は、コイルばね１６の付勢力よりイジェクト釦１４の端面がイジェクトレバー１０の外端面に当接した状態でイジェクト釦１４の起立状態を維持するものである。したがって、イジェクト釦１４とイジェクトレバー１０との連結は嵌合によるものではないから、イジェクトレバー１０の外端面に形成されている凹状の円弧面は本件第１発明における嵌合穴６に相当しない。
　そして、本件第１発明は、上記構成要件により明細書に記載されているような、イジェクトボタンの押圧時に、起立させられた操作ボタンの基部がベースボタンの嵌合穴に嵌合し、その起立状態が維持されることになり、起立したイジェクトボタンの折れ曲がりを防止する為のガイドの必要がなくなり、イジェクトボタン及びイジェクトレバーをガイドするガイド手段の簡略化を実現することができ、よって、カードイジェクト機構を簡略化することができると同時に小型化が容易となり、省スペースが可能となるので、カードドライブ装置自身の小型化が可能となり、カード使用機器の小型化を容易に実現することができるカードドライブ装置けるカードイジェクト機構を提供できるという顕著な効果を奏するものである。
　したがって、本件第１発明は、甲第１号証に記載された発明及び甲第２号証に記載された発明から当業者が容易に発明することができたものではない。
ｂ．特許法第２９条の２について
　本件第１発明と甲第３号証の発明とを対比すると、両者は、イジェクト用の操作ボタンを起立した状態を維持するための手段を備えているカードイジェクト機構である点で共通しているが、斯かる手段として、前者は、「操作ボタン４は、この操作ボタン４を上記ベースボタン３に対して上記軸７により回動し起立させた際、この操作ボタン４が、上記イジェクトボタン１及びイジェクトレバ−２のストローク方向に向かって移動できるようにベースボタン３に軸支されており、さらに、上記ベースボタン３には、上記操作ボタン４を回動し起立させ押圧した際、ベースボタン３に操作ボタンの基部が嵌合する嵌合穴６が形成した」構造となっているのに対し、後者は、イジェクトバー２５の先端部（前者のベースボタンに相当；以下、「ベースボタン」と記す。）にロック窓２８Ｂを設けると共にイジェクタ２６（前者の操作ボタンに相当；以下、「操作ボタン」と記す。）の下部に前記ロック窓に嵌合する係止突起２９Ｂを設ける構造となっており、両者の嵌合構造は基本的に異なっている。即ち、前者は操作ボタンを起立させてから縦方向に押圧して操作ボタンの基部全体をベースボタンの嵌合穴に嵌合することにより操作ボタンの起立状態を維持する構造であるのに対し、後者は操作ボタンを回動して起立させると操作ボタンの下部の側面に設けた係止突起がべ一スボタンに設けたロック窓に嵌合し、それにより操作ボタンの起立状態を維持する構造である。したがって、両者はその嵌合方向が異なり、また、操作ボタンの起立状態を維持する機能を比較した場合、前者は、操作ボタンの基部全体が嵌合穴に嵌合するので、操作ボタンを上方に引っ張って嵌合穴から操作ボタンの基部を引き出さない限り操作ボタンが回動することはないが、後者は、操作ボタンが嵌合状態で回動する点で相違している。
　したがって、本件第１発明が甲第３号証に記載された発明と同一であるとすることはできない。
　本件第２発明と甲第３号証の発明とを対比すると、両者は、上記相違点に加え、前者は、「べ一スボタン３に対して操作ボタン４を折り曲げた状態の時、上記ロックアーム８の先端１５が操作ボタン４のロックアーム嵌合部１６に嵌合し、操作ボタン４を起立させた状態の時、上記ロックアーム８の先端１５が操作ボタン４の側面に当接する」手段を備えているのに対し、後者には、そのような手段は存在していない点で更に相違している。
　したがって、本件第２発明が甲第３号証に記載された発明と同一であるとすることはできない。
３．異議申立２（豊島康彦）
（１）申立人の主張の概要
　申立人は、甲第１号証として実願平３−９８９１９号（実開平５−４８０５９号）のＣＤ−ＲＯＭ、甲第２号証として実願平２−５０７１３号（実開平４−１２０６４号）のマイクロフィルムを、それぞれ提示し、本件請求項１に係る発明は甲第１号証及び甲第２号証に記載された発明から当業者が容易に発明することができたものであるから、特許法第２９条第２項の規定により特許を受けることができないものであるから、本件請求項１に係る特許は取り消されるべきである旨主張している。
（２）判断
　本件異議申立の証拠の甲第１号証、甲第２号証は、それぞれ、申立人横地　朗の提示した甲第１号証、甲第２号証と同じである。したがって、上記ＩＩＩ．１．（３）．ａの場合と同様に、当該異議申立は理由がない。
Ｖ．むすび
　以上のとおりであるから、特許異議申立の理由及び証拠によっては本件発明に係る特許を取り消すことはできない。
　また、他に上記発明に係る特許を取り消すべき理由を発見しない。
　よって、結論のとおり決定する。
【異議決定日】
平成１１年９月１０日（１９９９．９．１０）
【訂正の要旨】
訂正の要旨
ａ．特許第２７０７０６１号明細書における「特許請求の範囲」の欄を以下の通り訂正する。
「【請求項１】
　イジェクトボタン１とイジェクトボタン１に連接するイジェクトレバー２と、上記イジェクトレバー２の先端部によって作動させられる作動片より成るカードドライブ装置に於て、
　上記イジェクトボタン１は、イジェクトレバ−２に連なるベ−スボタン３と、このベ−スボタン３に対して軸７により回動可能に軸支されている操作ボタン４により構成され、而も上記操作ボタン４は、この操作ボタン４を上記ベ−スボタン３に対して上記軸７により回動し起立させた際、この操作ボタン４が、上記イジェクトボタン１及びイジェクトレバ−２のストロ−ク方向に向かって移動できるようにベ−スボタン３に軸支されており、さらに、上記ベ−スボタン３には、上記操作ボタン４の基部５が嵌合する嵌合穴６が形成されていることを特徴とするカードドライブ装置に於けるカードイジェクト機構。
　【請求項２】
　上記ベースボタン３には、先端１５が上記操作ボタン４の基部５に形成されたロックアーム嵌合部１６に嵌合できるロックアーム８が形成され、上記ロックアーム８の先端１５が操作ボタン４のロックアーム嵌合部１６に嵌合し、操作ボタン４の側面に当接することを特徴とするカードドライブ装置に於けるカードイジェクト機構。」
ｂ．特許第２７０７０６１号明細書３頁２４行ないし４頁５行（特許広報第４欄２４行〜３７行）の記載を以下の通り訂正する。
「【課題を解決するための手段】
　上記目的を達成する為に本発明は次の技術手段を有する。即ち、実施例に対応する添付図面に使用した符号を用いて説明すると、イジェクトボタン１とイジェクトボタン１に連接するイジェクトレバー２と、上記イジェクトレバー２の先端部によって作動させられる作動片より成るカードドライブ装置に於けるカードイジェクト機構に於て、
　上記イジェクトボタン１は、イジェクトレバ−２に連なるベ−スボタン３と、このベ−スボタン３に対して軸７により回動可能に軸支されている操作ボタン４により構成され、而も上記操作ボタン４は、この操作ボタン４を上記ベ−スボタン３に対して上記軸７により回動し起立させた際、この操作ボタン４が、上記イジェクトボタン１及びイジェクトレバ−２のストロ−ク方向に向かって移動できるようにベ−スボタン３に軸支されており、さらに、上記ベースボタン３には、上記操作ボタン４を回動し起立させ押圧した際、上記操作ボタン４の基部５が嵌合する嵌合穴６が形成されていることを特徴とするカードドライブ装置に於けるカードイジェクト機構である。」
ｃ．特許第２７０７０６１号明細書４頁７行ないし２０行（特許広報第４欄３９行〜５欄７行）の記載を以下の通り訂正する。
　「【作用】
　本発明は、上記技術的手段より成り、カードドライブ装置に挿入されたカードＣを取り出す際に操作される上記イジェクトボタン１は、イジェクトレバ−２に連なるベ−スボタン３と、このベ−スボタン３に対して軸７により回動可能に軸支されている操作ボタン４により構成され、而も上記操作ボタン４は、この操作ボタン４を上記ベ−スボタン３に対して上記軸７により回動し起立させた際、この操作ボタン４が、上記イジェクトボタン１及びイジェクトレバ−２のストロ−ク方向に向かって移動できるようにベ−スボタン３に軸支されており、さらに、上記イジェクトボタン３には、上記操作ボタン４を回動し起立させ押圧した際、上記操作ボタン４の基部５が嵌合する嵌合穴６が形成されているものであるので、イジェクトボタン１の押圧時に、起立させられた操作ボタン４の基部５がベ−スボタン３の嵌合穴６に嵌合し、その起立状態が維持されることとなり、起立したイジェクトボタン１を押圧した際の折れ曲がりを防止する為のガイドの必要がなくなり、イジェクトボタン１及びイジェクトレバー２をガイドするガイド手段の簡略化を実現することができ、よって、カードイジェクト機構を簡略化することができると同時に小型化が容易となり省スペースが可能となるので、カードドライブ装置自身の小型化が可能となり、カード使用機器の小型化を容易に実現することができるものである。」
ｄ．特許第２７０７０６１号明細書７頁２６行ないし８頁１１行（特許広報第７欄２２行ないし８欄１行）の記載を以下の通り訂正する。
「【発明の効果】
　以上詳述した如く、本発明によると次のような効果を奏する。即ち、請求項１によると、イジェクトボタンとイジェクトボタンに連接するイジェクトレバーと、上記イジェクトレバーに先端部によって作動させられる作動片より成るカードドライブ装置に於けるカードイジェクト機構に於て、
　上記イジェクトボタンは、イジェクトレバ−に連なるベ−スボタンと、このベ−スボタンに対して軸により回動可能に軸支されている操作ボタンにより構成され、而も上記操作ボタンは、この操作ボタンを上記ベ−スボタンに対して上記軸により回動し起立させた際、この操作ボタンが、上記イジェクトボタン及びイジェクトレバ−のストロ−クの方向に向かって移動できるようにベ−スボタンに軸支されており、さらに、上記イジェクトボタンには、上記操作ボタンを回動し起立させ押圧した際、上記操作ボタンの基部が嵌合する嵌合穴が形成されていることを特徴とするカードドライブ装置に於けるカードイジェクト機構であるので、イジェクトボタンの押圧時に、起立させられた操作ボタンの基部がベースボタンに嵌合穴に嵌合し、その起立状態が維持されることとなり、起立したイジェクトボタンの折れ曲がりを防止する為のガイドが必要なくなり、イジェクトボタン及びイジェクトレバ−をガイドするガイド手段の簡略化を実現することができ、よって、カ−ドイジェクト機構を簡略化することができると同時に小型化が容易となり、省スペースが可能となるので、カ−ドドライブ装置自身の小型化が可能となり、カ−ド使用機器の小型化を容易に実現することができるカ−ドドライブ装置に於けるカ−ドイジェクト機構を提供できるものである。」
（５４）【発明の名称】
カードドライブ装置に於けるカードイジェクト機構
（５７）【特許請求の範囲】
　　【請求項１】　イジェクトボタン１とイジェクトボタン１に連接するイジェクトレバー２と、上記イジェクトレバー２の先端部によって作動させられる作動片より成るカードドライブ装置に於けるカードイジェクト機構に於て、
　
上記イジェクトボタン１は、イジェクトレバ−２に連なるベ−スボタン３と、このベ−スボタン３に対して軸７により回動可能に軸支されている操作ボタン４により構成され、而も上記操作ボタン４は、この操作ボタン４を上記ベ−スボタン３に対して上記軸７により回動し起立させた際、この操作ボタン４が、上記イジェクトボタン１及びイジェクトレバ−２のストロ−ク方向に向かって移動できるようにベ−スボタン３に軸支されており
　　【請求項２】　
上記ベースボタン３には、先端１５が上記操作ボタン４の基部５に形成されたロックアーム嵌合部１６に嵌合できるロックアーム８が形成され、上記ベースボタン３に対して操作ボタン４を折り曲げた状態の時、上記ロックアーム８の先端１５が操作ボタン４のロックアーム嵌合部１６に嵌合し、操作ボタン４を起立させた状態の時、上記ロックアーム８の先端１５が操作ボタン４の側面に当接することを特徴とする請求項１記載のカードドライブ装置に於けるカードイジェクト機構
【発明の詳細な説明】
　　　【０００１】
　　【産業上の利用分野】
　本発明は、ＩＣメモリーカード等のカードドライブ装置に於けるカードイジェクト機構に係わり、さらに詳しくは、イジェクトボタンの操作性が良好であると共に、コンパクトであり、省スペースを実現できるカードドライブ装置に於けるカードイジェクト機構に関する。
　　　【０００２】
　　【従来の技術】
　周知の通り、ＩＣメモリーカード等のカードをカード使用機器に接続し、その使用を可能とする為にカードドライブ装置が用いられているものであり、上記カードドライブ装置は、カードをカード使用機器に接続する為のカード挿入保持機構と、上記カードドライブ装置に挿入保持されたカードの取り出しを容易にする為のイジェクト機構を有して成るものである。
　　　【０００３】
　そして、上記カードドライブ装置に於けるカードイジェクト機構は、イジェクトボタンとイジェクトボタンに連接するイジェクトレバー、さらに、上記イジェクトレバーの先端部によって作動させられる作動片より成るものであって、上記イジェクトボタンを押圧することにより上記作動片を作動させ、この作動片によって挿入保持されたカードを押し出させることにより、カードを取り出しているものであった。
　　　【０００４】
　所で、上記カードイジェクト機構を良好に作動させる為にはイジェクトボタンがある程度のストロークを有している必要があり、上記イジェクトボタンに必要とされるストロークを得ようとすると上記イジェクトボタンがカードドライブ装置から突出してしまうという不具合が生じており、この不具合を防止する手段として、上記イジェクトボタンを折り曲げ可能と成すことが提案され、これによると、カード取り出し時には上記イジェクトボタンを起立させることによりイジェクトボタンに必要とされるストロークが得られ、さらに、カード挿入保持時には上記イジェクトボタンを折り曲げておくことによりイジェクトボタンの突出が防止されるので、上記不具合が解消されることとなり、上記折り曲げ可能なイジェクトボタンを有したカードイジェクト機構が広く実用されるに至っている。
　　　【０００５】
　そして、上記折り曲げ可能なイジェクトボタンは、イジェクトボタンとイジェクトレバーとを独立させ、イジェクトボタン自身が回動する様に構成されているものであり、上記イジェクトボタンは、イジェクトボダンとイジェクトレバーを収容するレバーガイドに対しその基部が軸支されて成り、イジェクトボタンの基部に形成された長穴によってイジェクトボタンのストロークを得ているものであり、さらに、上記イジェクトボタンを操作した際のクリック感を得る為に、レバーガイド内にはスプリングが配設されているものであった。
　　　【０００６】
　　【発明が解決しようとする課題】
　上記従来の技術によると、カードドライブ装置に於けるカードイジェクト機構を構成するイジェクトボタンが折り曲げ可能に成されているので、イジェクトボタンに必要とされるストロークが十分に得られると共に、カードドライブ装置からのイジェクトボタンの突出を防止できるという利点を有するものの、カードドライブ装置に挿入保持されたカードを取り出す為の上記イジェクトボタンを回動自在に保持すると共に、イジェクトボタンを起立させ押圧した際に、イジェクトボタンを正確にストロークさせ、その際の折れ曲がりを防ぐ為のレバーガイドが必要であり、このレバーガイドとして、通常、筒状のフレームが配設されているものであるが、上記筒状のフレームは、イジェクトボタンやイジェクトレバー、スプリング等の収容性と適度な強度を確保する為に、ある程度の筒幅、肉厚を必要とするものであり、上記イジェクトボタンのカードイジェクト機構の簡素化や小型化、省スペース化、即ち、上記カードドライブ装置の小型化に限界が生じ、カード使用機器の小型化を行う場合の障害となっているものであった。
　　　【０００７】
　　【発明の目的】
　よって、本発明の目的とする所は、上述の如き従来の技術の有する問題点を解決するものであって、イジェクトボタンが折り曲げ可能に成されたカードドライブ装置に於けるカードイジェクト機構であって、イジェクトボタンに必要とされるストロークが十分に得られると共に、カードドライブ装置からのイジェクトボタンの突出を防止でき、しかも、カードイジェクト機構の簡略化、小型化、省スペース化が可能であって、カードドライブ装置をコンパクトに成すことができ、カード使用機器の小型化を容易に実現することのできるカードドライブ装置に於けるカードイジェクト機構を提供することにある。
　　　【０００８】
　　【課題を解決する為の手段】
　上記目的を達成する為に本発明は次の技術的手段を有する。即ち、実施例に対応する添付図面に使用した符号を用いて説明すると、
　イジェクトボタン１とイジェクトボタン１に連接するイジェクトレバー２と、上記イジェクトレバー２の先端部によって作動させられる作動片より成るカードドライブ装置に於けるカードイジェクト機構に於て、
　
上記イジェクトボタン１は、イジェクトレバ−２に連なるベ−スボタン３と、このベ−スボタン３に対して軸７により回動可能に軸支されている操作ボタン４により構成され、而も上記操作ボタン４は、この操作ボタン４を上記ベ−スボタン３に対して上記軸７により回動し起立させた際、この操作ボタン４が、上記イジェクトボタン１及びイジェクトレバ−２のストロ−ク方向に向かって移動できるようにベ−スボタン３に軸支されており
　　　【０００９】
　　【作用】
　本発明は、上記技術的手段より成り、カードドライブ装置に挿入されたカードＣを取り出す際に操作される
上記イジェクトボタン１は、イジェクトレバ−２に連なるベ−スボタン３と、このベ−スボタン３に対して軸７により回動可能に軸支されている操作ボタン４により構成され、而も上記操作ボタン４は、この操作ボタン４を上記ベ−スボタン３に対して上記軸７により回動し起立させた際、この操作ボタン４が、上記イジェクトボタン１及びイジェクトレバ−２のストロ−ク方向に向かって移動できるようにベ−スボタン３に軸支されており
　　　【００１０】
　　【実施例】
　以下、本発明の実施例を添付図面に基づき詳細に説明する。
　カードドライブ装置に於けるイジェクト機構は、イジェクトボタン１とイジェクトボタン１に連接するイジェクトレバー２と、上記イジェクトレバー２の先端部によって作動させられる作動片（図示せず）より成るものであり、上記イジェクトボタン１の第１実施例を示したものが図１，図２，図３，図４である。
　　　【００１１】
　上記イジェクトボタン１は、ベースボタン３と操作ボタン４とによって構成されているものであり、上記操作ボタン４は、ベースボタン３に対して回動可能、即ち、操作ボタン４を折り曲げたり起立させたりすることができる様に成され、さらに、上記ベースボタン３は、イジェクトレバー２に対して一体的に連接しているものである。
　　　【００１２】
　そして、上記操作ボタン４のベースボタン３に対する取り付けは、ベースボタン３に形成された操作ボタン支持部９の長穴１０（イジェクトボタン１及びイジェクトレバー２のストローク方向の長穴）に対し、操作ボタン４の基部５を軸７により軸支することによって行われるものであり、さらに、上記ベースボタン３には操作ボタン４の基部５を嵌合させる嵌合穴６が形成されていて、これによりストローク方向に移動可能となった操作ボタン４を押圧し、その基部５を上記嵌合穴６に嵌合させることができ、上記操作ボタン４をべースボタン３に対し起立した状態で保持することができるものである。
　　　【００１３】
　さらに、上記ベースボタン３と操作ボタン４は、ベースボタン３の操作ボタン支持部９のＲ部１１と、操作ボタン４のフラット部１２とが互いに接触した状態で連接されて成るものであるので、ベースボタン３に対する操作ボタン４の動き（回動）が規制されるので、不容易な操作ボタン４の折れ曲がりや起立、ガタ付きを防止することができるものである。
　　　【００１４】
　そして、上記嵌合穴６の底部には、上記イジェクトレバー２の終端が嵌合部１３として突出しており、それに対応するかたちで上記操作ボタン４に嵌合穴１４が形成されているものであり、ベースボタン３に対して操作ボタン４を起立させ押圧した際の操作ボタン４の起立状態をより確実に保持できるものである。
　　　【００１５】
　さらに、上記操作ボタン４には、操作ボタン４の折れ曲がり状態と起立状態との区別を行い易くするためのマーキング１７が施されているものであり、本実施例では、操作ボタン４が折れ曲がっている状態を判断できる位置、即ち、上面（図１中に於ける上面）に施されているものである。
　　　【００１６】
　次に上記構成に基づきその作動を説明する。
　カードドライブ装置に於けるカードイジェクト機構のイジェクトボタン１は、カードドライブ装置にカードＣが挿入された状態では、イジェクトボタン１の操作ボタン４が折り曲げられた状態（図５）にあり、カードドライブ装置からの突出が少なく、イジェクトボタン１を誤って操作させてしまう等の不具合を防止できるものであり、また、上記イジェクトボタン１を成すベースボタン３と操作ボタン４は、ベースボタン３の操作ボタン支持部９のＲ部１１と、操作ボタン４のフラット部１２とが互いに接触した状態で連接して成るものであるので、ベースボタン３に対する操作ボタン４の動き（回動）が規制され、不容易な操作ボタン４の折れ曲がりや起立、ガタ付きが防止されているものである。
　　　【００１７】
　そして、カードドライブ装置からカードＣを取り出す場合には、イジェクトボタン１の操作ボタン４を回動（図中矢印Ｆ）させると同時に、図６に示した様に側方から押す（図中矢印Ｇ）ことによって、操作ボタン４をベースボタン３に対し起立させ（図７）、さらに、起立させられた操作ボタン４を押圧Ｐすることによって、上記操作ボタン４の基部５がベースボタン３の嵌合穴６に嵌合し（図８）、操作ボタン４の起立状態が維持されるものであり、従来の様なイジェクトボタン１のガイド手段を必要とせず、しかも、上記嵌合穴６の底部には、操作ボタン４の嵌合穴１４に嵌合するイジェクトレバー２の終端が嵌合部として形成されているので、より確実に操作ボタン４の起立状態が維持されるものである。
　　　【００１８】
　そして、図９に示した様に、上記操作ボタン４の押圧Ｐを続けることにより、イジェクトボタン１に連接するイジェクトレバー２の先端がカードＣをイジェクトさせる為の作動片を作動させ、カードドライブ装置に挿入されたカードＣがイジェクト（図中Ｅ）され、さらにその押圧Ｐを続けることにより、カードＣが最終取り出し位置（図中Ｅ’）までイジェクトされ、その取り出しを容易に行うことができるものであり、カードＣイジェクト後、イジェクトボタン１は、カードドライブ装置に押し込んだ状態でロックされるものである。
　　　【００１９】
　そして、カードＣを再び使用する為に、カードドライブ装置にカードＣを挿入することにより、上記ロックが解除され、イジェクトボタン１は図５に示した状態に戻るものであり、また、起立した状態の操作ボタン４は、上記の起立させる為の動作の逆を行うことにより、折り曲げることができるものである。
　　　【００２０】
　次に第２の実施例を図１０，図１１に基づき説明する。
　本実施例では、ベースボタン３に回動自在に軸支された操作ボタン４を折り曲げた状態、及び、回動し起立させた状態の各々で固定することができる手段としてロックアーム８を形成した場合を示しているものであり、上記ロックアーム８は、ベースボタン３に対し一体的に成され、その先端１５が操作ボタン４の基部５に形成されたロックアーム嵌合部１６と嵌合するよう構成されているものである。
　　　【００２１】
　そして、上記ロックアーム８が形成されていることにより、イジェクトボタン１の操作ボタン４を回動させ、起立及び折り曲げを行った際にクリック感を得ることができるので、より良好な操作感を有するイジェクトボタン１を形成することができるものであり、また、従来のようにクリック感を得る為にスプリング等を用いる必要がないので、より簡易なカードドライブ装置に於けるカードイジェクト機構を形成することができるものである。
　　　【００２２】
　さらに、本実施例では、上記操作ボタン４に施されるマーキング１７を、操作ボタン４が起立している状態を判断できる位置、即ち、操作ボタンの頂部（図１０中に於ける右側面）に施されている場合を示しているものである。
　　　【００２３】
　　【発明の効果】
　以上詳述した如く、本発明によると次の様な効果を奏する。
　即ち、請求項１によると、イジェクトボタンとイジェクトボタンに連接するイジェクトレバーと、上記イジェクトレバーの先端部によって作動させられる作動片より成るカードドライブ装置に於けるカードイジェクト機構に於て、
　
上記イジェクトボタンは、イジェクトレバ−に連なるベ−スボタンと、このべ−スボタンに対して軸により回動可能に軸支されている操作ボタンにより構成され、而も上記操作ボタンは、この操作ボタンを上記ベ−スボタンに対して上記軸により回動し起立させた際、この操作ボタンが、上記イジェクトボタン及びイジェクトレバ−のストローク方向に向かって移動できるようにベ−スボタンに軸支されており
　　　【００２４】
　さらに、請求項２によると、イジェクトボタンを成すベースボタンに、ベースボタンに連接された操作ボタンを折り曲げた状態、及び、回動し起立させた状態の各々で固定することができるロックアームが形成されているので、イジェクトボタンの操作ボタンを回動させ、起立及び折り曲げを行った際にクリック感を得ることができるので、上記効果を有すると同時に、より良好な操作感を有するカードドライブ装置に於けるカードイジェクト機構を提供できるものである。
【図面の簡単な説明】
　　【図１】
　イジェクトボタンが折り曲げられた状態を示す正面図である。
　　【図２】
　図１に於ける矢印Ｘよりの矢視図である。
　　【図３】
　イジェクトボタンが起立させられた状態を示す正面図である。
　　【図４】
　図３に於ける矢印Ｙよりの矢視図である。
　　【図５】
　イジェクトボタンの操作手順の第１段階を示す図である。
　　【図６】
　イジェクトボタンの操作手順の第２段階を示す図である。
　　【図７】
　イジェクトボタンの操作手順の第３段階を示す図である。
　　【図８】
　イジェクトボタンの操作手順の第４段階を示す図である。
　　【図９】
　イジェクトボタンの操作手順の第５段階を示す図である。
　　【図１０】
　イジェクトボタンの第２の実施例に於けるイジェクトボタンが折り曲げられた状態を示す図である。
　　【図１１】
　イジェクトボタンの第２の実施例に於けるイジェクトボタンが起立させられた状態を示す図である。
　　【符号の説明】
　１　イジェクトボタン
　２　イジェクトレバ−
　３　ベースボタン
　４　操作ボタン
　５　基部
　６　嵌合穴
　７　軸
　８　ロックアーム